(57)【要約】【課題】分割した用紙の間に別のトレイからの挿入紙を適切に挿入する後処理装置、用紙挿入制御プログラム及び用紙挿入制御方法を提供する。【解決手段】印刷部で印刷された用紙を用紙搬送方向に直交する方向に断裁して分割する用紙断裁部と、印刷不要な挿入紙を挿入する用紙挿入部と、分割した用紙及び挿入紙を積載する用紙積載部と、用紙断裁部と用紙積載部とを繋ぐ用紙搬送経路から分岐する用紙退避部と、を少なくとも備える後処理装置は、挿入紙の挿入形態を、挿入紙を用紙の分割前に挿入する先挿入、又は、挿入紙を用紙の分割後に挿入する後挿入に設定し、設定した挿入紙の挿入形態に応じて、分割した用紙又は挿入紙を用紙退避部に退避させ、分割した用紙と挿入紙の用紙搬送順を入れ替えて、分割した用紙の間に挿入紙を挿入する。【選択図】図８
2019214168.tif 000002
【特許請求の範囲】
【請求項１】
印刷部で印刷された用紙を用紙搬送方向に直交する方向に断裁して分割する用紙断裁部と、印刷不要な挿入紙を挿入する用紙挿入部と、分割した用紙及び前記挿入紙を積載する用紙積載部と、前記用紙断裁部と前記用紙積載部とを繋ぐ用紙搬送経路から分岐する用紙退避部と、を少なくとも備える後処理装置であって、
前記挿入紙の挿入形態を、前記挿入紙を前記用紙の分割前に挿入する先挿入、又は、前記挿入紙を前記用紙の分割後に挿入する後挿入に設定する設定部と、
設定された前記挿入紙の挿入形態に応じて、前記分割した用紙又は前記挿入紙を前記用紙退避部に退避させ、前記分割した用紙と前記挿入紙の用紙搬送順を入れ替えて、前記分割した用紙の間に前記挿入紙を挿入する用紙搬送制御部と、を備える、
ことを特徴とする後処理装置。
【請求項２】
前記用紙搬送制御部は、前記挿入紙の挿入形態が前記先挿入に設定された場合は、前記挿入紙を前記用紙退避部に退避させ、前記分割した用紙の先行紙と前記挿入紙の用紙搬送順を入れ替えることにより、前記分割した用紙の間に前記挿入紙を挿入する、
ことを特徴とする請求項１に記載の後処理装置。
【請求項３】
前記用紙搬送制御部は、前記挿入紙を前記用紙退避部に退避させてから、前記分割した用紙の先行紙を搬送し、前記先行紙が前記用紙退避部への分岐位置を通過した後に、前記用紙退避部に退避させた前記挿入紙を搬送し、その後、前記分割した用紙の後続紙を搬送する、
ことを特徴とする請求項２に記載の後処理装置。
【請求項４】
前記用紙搬送制御部は、前記挿入紙の挿入形態が前記後挿入に設定された場合は、前記分割した用紙の後続紙を前記用紙退避部に退避させ、前記後続紙と前記挿入紙の用紙搬送順を入れ替えることにより、前記分割した用紙の間に前記挿入紙を挿入する、
ことを特徴とする請求項１に記載の後処理装置。
【請求項５】
前記用紙搬送制御部は、前記分割した用紙の先行紙を搬送し、前記分割した用紙の後続紙を前記用紙退避部に退避させてから、前記挿入紙を搬送し、前記挿入紙が前記用紙退避部への分岐位置を通過した後に、前記用紙退避部に退避させた前記後続紙を搬送する、
ことを特徴とする請求項４に記載の後処理装置。
【請求項６】
前記用紙の給紙間隔を算出する給紙間隔算出部を更に備え、
前記用紙搬送制御部は、前記給紙間隔に基づいて、前記用紙断裁部に前記用紙を給紙する、
ことを特徴とする請求項１乃至５のいずれか一に記載の後処理装置。
【請求項７】
前記給紙間隔算出部は、前記用紙断裁部の断裁処理時間と、前記挿入紙又は前記分割した用紙の後続紙を前記用紙退避部に退避させる時間と、前記挿入紙又は前記後続紙を前記用紙退避部から前記用紙搬送経路に戻す時間と、前記分割した用紙の用紙間隔と、に基づいて、前記給紙間隔を算出する、
ことを特徴とする請求項６に記載の後処理装置。
【請求項８】
印刷部で印刷された用紙を用紙搬送方向に直交する方向に断裁して分割する用紙断裁部と、印刷不要な挿入紙を挿入する用紙挿入部と、分割した用紙及び前記挿入紙を積載する用紙積載部と、前記用紙断裁部と前記用紙積載部とを繋ぐ用紙搬送経路から分岐する用紙退避部と、を少なくとも備える後処理装置で動作する用紙挿入制御プログラムであって、
前記後処理装置に、
前記挿入紙の挿入形態を、前記挿入紙を前記用紙の分割前に挿入する先挿入、又は、前記挿入紙を前記用紙の分割後に挿入する後挿入に設定する設定処理、
設定された前記挿入紙の挿入形態に応じて、前記分割した用紙又は前記挿入紙を前記用紙退避部に退避させ、前記分割した用紙と前記挿入紙の用紙搬送順を入れ替えて、前記分割した用紙の間に前記挿入紙を挿入する用紙搬送制御処理、を実行させる、
ことを特徴とする用紙挿入制御プログラム。
【請求項９】
前記用紙搬送制御処理では、前記挿入紙の挿入形態が前記先挿入に設定された場合は、前記挿入紙を前記用紙退避部に退避させ、前記分割した用紙の先行紙と前記挿入紙の用紙搬送順を入れ替えることにより、前記分割した用紙の間に前記挿入紙を挿入する、
ことを特徴とする請求項８に記載の用紙挿入制御プログラム。
【請求項１０】
前記用紙搬送制御処理では、前記挿入紙を前記用紙退避部に退避させてから、前記分割した用紙の先行紙を搬送し、前記先行紙が前記用紙退避部への分岐位置を通過した後に、前記用紙退避部に退避させた前記挿入紙を搬送し、その後、前記分割した用紙の後続紙を搬送する、
ことを特徴とする請求項９に記載の用紙挿入制御プログラム。
【請求項１１】
前記用紙搬送制御処理では、前記挿入紙の挿入形態が前記後挿入に設定された場合は、前記分割した用紙の後続紙を前記用紙退避部に退避させ、前記後続紙と前記挿入紙の用紙搬送順を入れ替えることにより、前記分割した用紙の間に前記挿入紙を挿入する、
ことを特徴とする請求項８に記載の用紙挿入制御プログラム。
【請求項１２】
前記用紙搬送制御処理では、前記分割した用紙の先行紙を搬送し、前記分割した用紙の後続紙を前記用紙退避部に退避させてから、前記挿入紙を搬送し、前記挿入紙が前記用紙退避部への分岐位置を通過した後に、前記用紙退避部に退避させた前記後続紙を搬送する、
ことを特徴とする請求項１１に記載の用紙挿入制御プログラム。
【請求項１３】
前記装置に、更に、
前記用紙の給紙間隔を算出する給紙間隔算出処理を実行させ、
前記用紙搬送制御処理では、前記給紙間隔に基づいて、前記用紙断裁部に前記用紙を給紙する、
ことを特徴とする請求項８乃至１２のいずれか一に記載の用紙挿入制御プログラム。
【請求項１４】
前記給紙間隔算出処理では、前記用紙断裁部の断裁処理時間と、前記挿入紙又は前記分割した用紙の後続紙を前記用紙退避部に退避させる時間と、前記挿入紙又は前記後続紙を前記用紙退避部から前記用紙搬送経路に戻す時間と、前記分割した用紙の用紙間隔と、に基づいて、前記給紙間隔を算出する、
ことを特徴とする請求項１３に記載の用紙挿入制御プログラム。
【請求項１５】
印刷部で印刷された用紙を用紙搬送方向に直交する方向に断裁して分割する用紙断裁部と、印刷不要な挿入紙を挿入する用紙挿入部と、分割した用紙及び前記挿入紙を積載する用紙積載部と、前記用紙断裁部と前記用紙積載部とを繋ぐ用紙搬送経路から分岐する用紙退避部と、を少なくとも備える後処理装置における用紙挿入制御方法であって、
前記挿入紙の挿入形態を、前記挿入紙を前記用紙の分割前に挿入する先挿入、又は、前記挿入紙を前記用紙の分割後に挿入する後挿入に設定する設定処理と、
設定された前記挿入紙の挿入形態に応じて、前記分割した用紙又は前記挿入紙を前記用紙退避部に退避させ、前記分割した用紙と前記挿入紙の用紙搬送順を入れ替えて、前記分割した用紙の間に前記挿入紙を挿入する用紙搬送制御処理と、を実行する、
ことを特徴とする用紙挿入制御方法。
【請求項１６】
前記用紙搬送制御処理では、前記挿入紙の挿入形態が前記先挿入に設定された場合は、前記挿入紙を前記用紙退避部に退避させ、前記分割した用紙の先行紙と前記挿入紙の用紙搬送順を入れ替えることにより、前記分割した用紙の間に前記挿入紙を挿入する、
ことを特徴とする請求項１５に記載の用紙挿入制御方法。
【請求項１７】
前記用紙搬送制御処理では、前記挿入紙を前記用紙退避部に退避させてから、前記分割した用紙の先行紙を搬送し、前記先行紙が前記用紙退避部への分岐位置を通過した後に、前記用紙退避部に退避させた前記挿入紙を搬送し、その後、前記分割した用紙の後続紙を搬送する、
ことを特徴とする請求項１６に記載の用紙挿入制御方法。
【請求項１８】
前記用紙搬送制御処理では、前記挿入紙の挿入形態が前記後挿入に設定された場合は、前記分割した用紙の後続紙を前記用紙退避部に退避させ、前記後続紙と前記挿入紙の用紙搬送順を入れ替えることにより、前記分割した用紙の間に前記挿入紙を挿入する、
ことを特徴とする請求項１５に記載の用紙挿入制御方法。
【請求項１９】
前記用紙搬送制御処理では、前記分割した用紙の先行紙を搬送し、前記分割した用紙の後続紙を前記用紙退避部に退避させてから、前記挿入紙を搬送し、前記挿入紙が前記用紙退避部への分岐位置を通過した後に、前記用紙退避部に退避させた前記後続紙を搬送する、
ことを特徴とする請求項１８に記載の用紙挿入制御方法。
【請求項２０】
前記用紙の給紙間隔を算出する給紙間隔算出処理を更に実行し、
前記用紙搬送制御処理では、前記給紙間隔に基づいて、前記用紙断裁部に前記用紙を給紙する、
ことを特徴とする請求項１５乃至１９のいずれか一に記載の用紙挿入制御方法。
【請求項２１】
前記給紙間隔算出処理では、前記用紙断裁部の断裁処理時間と、前記挿入紙又は前記分割した用紙の後続紙を前記用紙退避部に退避させる時間と、前記挿入紙又は前記後続紙を前記用紙退避部から前記用紙搬送経路に戻す時間と、前記分割した用紙の用紙間隔と、に基づいて、前記給紙間隔を算出する、
ことを特徴とする請求項２０に記載の用紙挿入制御方法。
【発明の詳細な説明】
【技術分野】
【０００１】
本発明は、後処理装置、用紙挿入制御プログラム及び用紙挿入制御方法に関し、特に、分割した用紙の間に挿入紙を挿入する後処理装置、当該後処理装置で動作する用紙挿入制御プログラム及び用紙挿入制御方法に関する。
【背景技術】
【０００２】
近年のＭＦＰ（Multi-Functional Peripherals）などの印刷装置は、１枚の用紙に複数ページの画像を印刷する面付け機能や用紙を分割する断裁機能などを備えているものがあり、１ページ毎に印刷を行うのではなく、大きなサイズの用紙に２ページ分の印刷を行ってから分割することにより印刷コストを削減する方法が提案されている。
【０００３】
このような用紙の分割に関して、例えば、下記特許文献１には、複数の画像が形成された記録材を所望の大きさに切断して出力する記録材切断装置において、１枚の記録材を複数の記録材に分割した場合に、切断後の記録材のうちで、画像形成が行われている記録材のみを排出し、画像形成が行われていない記録材を記録材切断装置内に収容する技術が開示されている。
【０００４】
また、下記特許文献２には、用紙貯留部に貯留された用紙束から所定の給紙機構を介して１枚ずつ給紙された用紙に画像形成部で所定の画像形成処理を施す画像形成装置において、前記用紙貯留部と前記画像形成部との間に用紙を画像形成部へ搬送する搬送路として第１搬送路と、第２搬送路とが設けられるとともに、用紙の搬送を第１および第２搬送路のいずれか一方に切り換える切換え手段が設けられ、前記第２搬送路には、前記用紙貯留部から給紙された用紙を所定のサイズに裁断する用紙裁断機構と、裁断された用紙を貯留する裁断用紙貯留部と、この裁断用紙貯留部に貯留された裁断用紙を画像形成部へ向けて給紙する裁断用紙給紙機構と、が直列に配設されている構成が開示されている。
【先行技術文献】
【特許文献】
【０００５】
【特許文献１】特開２００７−０７９０５１号公報
【特許文献２】特開２００５−３５０２１５号公報
【発明の概要】
【発明が解決しようとする課題】
【０００６】
用紙を分割して一つの冊子にまとめる場合や多数の用紙を分割して積載する場合などにおいて、分割した用紙の間に、別のトレイから、予め他の印刷装置で印刷された用紙や合紙、白紙などの印刷不要な用紙（これらを総称して挿入紙と呼ぶ。）を挿入したい場合がある。しかしながら、従来の印刷装置では、分割した用紙は連続して搬送されるため、分割した用紙の間に挿入紙を挿入することは困難であった。
【０００７】
本発明は、上記問題点に鑑みてなされたものであって、その主たる目的は、分割した用紙の間に別のトレイからの挿入紙を適切に挿入することができる後処理装置、用紙挿入制御プログラム及び用紙挿入制御方法を提供することにある。
【課題を解決するための手段】
【０００８】
本発明の一側面は、印刷部で印刷された用紙を用紙搬送方向に直交する方向に断裁して分割する用紙断裁部と、印刷不要な挿入紙を挿入する用紙挿入部と、分割した用紙及び前記挿入紙を積載する用紙積載部と、前記用紙断裁部と前記用紙積載部とを繋ぐ用紙搬送経路から分岐する用紙退避部と、を少なくとも備える後処理装置であって、前記挿入紙の挿入形態を、前記挿入紙を前記用紙の分割前に挿入する先挿入、又は、前記挿入紙を前記用紙の分割後に挿入する後挿入に設定する設定部と、設定された前記挿入紙の挿入形態に応じて、前記分割した用紙又は前記挿入紙を前記用紙退避部に退避させ、前記分割した用紙と前記挿入紙の用紙搬送順を入れ替えて、前記分割した用紙の間に前記挿入紙を挿入する用紙搬送制御部と、を備えることを特徴とする。
【０００９】
本発明の一側面は、印刷部で印刷された用紙を用紙搬送方向に直交する方向に断裁して分割する用紙断裁部と、印刷不要な挿入紙を挿入する用紙挿入部と、分割した用紙及び前記挿入紙を積載する用紙積載部と、前記用紙断裁部と前記用紙積載部とを繋ぐ用紙搬送経路から分岐する用紙退避部と、を少なくとも備える後処理装置で動作する用紙挿入制御プログラムであって、前記後処理装置に、前記挿入紙の挿入形態を、前記挿入紙を前記用紙の分割前に挿入する先挿入、又は、前記挿入紙を前記用紙の分割後に挿入する後挿入に設定する設定処理、設定された前記挿入紙の挿入形態に応じて、前記分割した用紙又は前記挿入紙を前記用紙退避部に退避させ、前記分割した用紙と前記挿入紙の用紙搬送順を入れ替えて、前記分割した用紙の間に前記挿入紙を挿入する用紙搬送制御処理、を実行させることを特徴とする。
【００１０】
本発明の一側面は、印刷部で印刷された用紙を用紙搬送方向に直交する方向に断裁して分割する用紙断裁部と、印刷不要な挿入紙を挿入する用紙挿入部と、分割した用紙及び前記挿入紙を積載する用紙積載部と、前記用紙断裁部と前記用紙積載部とを繋ぐ用紙搬送経路から分岐する用紙退避部と、を少なくとも備える後処理装置における用紙挿入制御方法であって、前記挿入紙の挿入形態を、前記挿入紙を前記用紙の分割前に挿入する先挿入、又は、前記挿入紙を前記用紙の分割後に挿入する後挿入に設定する設定処理と、設定された前記挿入紙の挿入形態に応じて、前記分割した用紙又は前記挿入紙を前記用紙退避部に退避させ、前記分割した用紙と前記挿入紙の用紙搬送順を入れ替えて、前記分割した用紙の間に前記挿入紙を挿入する用紙搬送制御処理と、を実行することを特徴とする。
【発明の効果】
【００１１】
本発明の後処理装置、用紙挿入制御プログラム及び用紙挿入制御方法によれば、分割した用紙の間に別のトレイからの挿入紙を適切に挿入することができる。
【００１２】
その理由は、印刷部で印刷された用紙を用紙搬送方向に直交する方向に断裁して分割する用紙断裁部と、印刷不要な挿入紙を挿入する用紙挿入部と、分割した用紙及び挿入紙を積載する用紙積載部と、用紙断裁部と用紙積載部とを繋ぐ用紙搬送経路から分岐する用紙退避部と、を少なくとも備える後処理装置は、挿入紙の挿入形態を、挿入紙を用紙の分割前に挿入する先挿入、又は、挿入紙を用紙の分割後に挿入する後挿入に設定し、設定した挿入紙の挿入形態に応じて、分割した用紙又は挿入紙を用紙退避部に退避させ、分割した用紙と挿入紙の用紙搬送順を入れ替えて、分割した用紙の間に挿入紙を挿入するからである。
【図面の簡単な説明】
【００１３】
【図１】本発明の一実施例に係る印刷システムの構成を示す模式図である。
【図２】本発明の一実施例に係る印刷システムの構成を示す模式図である。
【図３】本発明の一実施例に係るクライアント装置の構成を示すブロック図である。
【図４】本発明の一実施例に係る印刷装置の構造を示す模式図である。
【図５】本発明の一実施例に係る印刷装置の構成を示すブロック図である。
【図６】基本的な用紙分割時の印刷制御を説明する図である。
【図７】通常の用紙挿入時の印刷制御を説明する図である。
【図８】分割した用紙の間に挿入紙を挿入する場合の基本的な考え方を説明する図である。
【図９】本発明の一実施例に係る挿入紙の先挿入におけるページの入れ替えを説明する模式図である。
【図１０】本発明の一実施例に係る挿入紙の先挿入における給紙間隔を説明する模式図である。
【図１１】本発明の一実施例に係る挿入紙の先挿入の動作を説明する模式図である。
【図１２】本発明の一実施例に係る挿入紙の後挿入におけるページの入れ替えを説明する模式図である。
【図１３】本発明の一実施例に係る挿入紙の後挿入における給紙間隔を説明する模式図である。
【図１４】本発明の一実施例に係る挿入紙の後挿入の動作を説明する模式図である。
【図１５】本発明の一実施例に係る印刷装置のジョブ処理を示すフローチャート図である。
【図１６】本発明の一実施例に係る印刷装置の処理（先挿入時の印刷処理）を示すフローチャート図である。
【図１７】本発明の一実施例に係る印刷装置の処理（後挿入時の印刷処理）を示すフローチャート図である。
【図１８】本発明の一実施例に係る印刷装置の処理（給紙間隔算出処理）を示すフローチャート図である。
【発明を実施するための形態】
【００１４】
背景技術で示したように、印刷コストを削減する方法として、１ページ毎に印刷を行うのではなく、大きなサイズの用紙に２ページ分の印刷を行ってから分割する方法があるが、用紙を分割して一つの冊子にまとめる場合や多数の用紙を分割して積載する場合などにおいて、分割した用紙の間に別のトレイから予め他の印刷装置で印刷された用紙や合紙、白紙などの挿入紙を挿入したい場合がある。しかしながら、従来の印刷装置では、分割した用紙は連続して搬送されるため、分割した用紙の間に挿入紙を挿入することは困難であった。
【００１５】
そこで、本発明の一実施の形態では、印刷部で印刷された用紙を用紙搬送方向に直交する方向に断裁して分割する用紙断裁部と、印刷不要な挿入紙（例えば、他の印刷装置で印刷された用紙や合紙、白紙など）を挿入する用紙挿入部と、分割した用紙及び挿入紙を積載する用紙積載部と、用紙断裁部と用紙積載部とを繋ぐ用紙搬送経路から分岐する用紙退避部と、を少なくとも備える後処理装置において、挿入紙の挿入形態を、挿入紙を用紙の分割前に挿入する先挿入、又は、挿入紙を用紙の分割後に挿入する後挿入に設定する設定部と、設定された挿入紙の挿入形態に応じて、分割した用紙又は挿入紙を用紙退避部に退避させ、分割した用紙と挿入紙の用紙搬送順を入れ替えて、分割した用紙の間に挿入紙を挿入する用紙搬送制御部と、を設け、ページ順を入れ替えることで所望の位置に挿入紙を挿入できるようにする。
【００１６】
具体的には、先挿入の場合は以下の手順で用紙を搬送する。
（１）挿入紙を用紙挿入部から挿入し、用紙退避部に退避させる。
（２）印刷部で印刷された用紙を用紙断裁部でＣＤ（cross direction）方向に断裁して分割する。
（３）分割した用紙の先行紙（前段の用紙）を用紙積載部（又は後処理部）に搬送する。
（４）先行紙が用紙退避部を通過した後に、挿入紙を用紙退避部から用紙搬送経路に戻し、用紙積載部（又は後処理部）に搬送する。
（５）分割した用紙の後続紙（後段の用紙）を用紙積載部（又は後処理部）に搬送する。
【００１７】
また、後挿入の場合は以下の手順で用紙を搬送する。この後挿入は、複数枚の挿入紙を挿入する場合に適した挿入形態である。
（１）印刷部で印刷した用紙を用紙断裁部でＣＤ方向に断裁して分割する。
（２）分割した用紙の先行紙を用紙積載部（又は後処理部）に搬送する。
（３）分割した用紙の後続紙を用紙退避部に退避させる。
（４）挿入紙を用紙挿入部から挿入し、用紙積載部（又は後処理部）に搬送する。
（５）挿入紙が用紙退避部を通過した後に、分割した用紙の後続紙を用紙退避部から用紙搬送経路に戻し、用紙積載部（又は後処理部）に搬送する。
【００１８】
このように、挿入紙や分割した用紙の後続紙を、用紙断裁部の後段に設けた用紙退避部に退避させることにより、分割した用紙の間に挿入紙が挿入可能となり、分割した用紙と挿入紙のページ順を適切に制御することができる。これにより、例えば、用紙を分割して一つの冊子にまとめる場合においても、挿入紙を考慮した冊子をユーザの手を煩わせることなく作成することができ、１ページ毎に印刷する場合と同様の冊子作成が可能となる。
【実施例】
【００１９】
上記した本発明の一実施の形態についてさらに詳細に説明すべく、本発明の一実施例に係る後処理装置、用紙挿入制御プログラム及び用紙挿入制御方法について、図１乃至図１８を参照して説明する。図１及び図２は、本実施例の印刷システムの構成を示す模式図であり、図３は、本実施例のクライアント装置の構成を示すブロック図である。また、図４は、本実施例の印刷装置の構造を示す模式図であり、図５は、本実施例の印刷装置の構成を示すブロック図である。また、図６は、基本的な用紙分割時の印刷制御を説明する図、図７は、通常の用紙挿入時の印刷制御を説明する図であり、図８は、分割用紙の間に挿入紙を挿入する場合の基本的な考え方を説明する図である。また、図９乃至図１１は、本実施例の挿入紙の先挿入を説明する図、図１２乃至図１４は、本実施例の挿入紙の後挿入を説明する図であり、図１５乃至図１８は、本実施例の印刷装置の処理を示すフローチャート図である。
【００２０】
図１に示すように、本実施例の印刷システム１０は、クライアント装置２０と印刷装置３０などで構成される。これらは、イーサネット（登録商標）、トークンリング、ＦＤＤＩ（Fiber-Distributed Data Interface）等の規格により定められるＬＡＮ（Local Area Network）やＷＡＮ（Wide Area Network）等の通信ネットワーク５０を介して接続されている。なお、図１では、印刷装置３０内で用紙を断裁して挿入紙を挿入する構成としたが、図２に示すように、印刷装置３０とは別に、用紙を断裁して挿入紙を挿入する後処理装置６０を設けてもよい。また、図１では、印刷システム１０をクライアント装置２０と印刷装置３０とで構成したが、通信ネットワーク５０にコントローラが接続され、コントローラと印刷装置３０とが、ＬＡＮやＷＡＮ、又は、ＰＣＩ（Peripheral Component Interconnect）などの専用線で接続される構成としてもよい。以下、図１の構成を前提にして、各装置について説明する。
【００２１】
［クライアント装置］
クライアント装置２０は、パーソナルコンピュータなどのコンピュータ装置、タブレット端末やスマートフォンなどの携帯端末であり、印刷装置３０に印刷ジョブを送信する。このクライアント装置２０は、図３（ａ）に示すように、制御部２１、記憶部２５、ネットワークＩ／Ｆ部２６、表示部２７、操作部２８などで構成される。
【００２２】
制御部２１は、ＣＰＵ（Central Processing Unit）２２と、ＲＯＭ（Read Only Memory）２３やＲＡＭ（Random Access Memory）２４などのメモリとで構成され、ＣＰＵ２２は、ＲＯＭ２３や記憶部２５に記憶した制御プログラムをＲＡＭ２４に展開して実行することにより、クライアント装置２０全体の動作を制御する。また、図３（ｂ）に示すように、上記制御部２１（ＣＰＵ２２）により、ＯＳ（Operating System）２１ａ、アプリケーション２１ｂ、プリンタドライバ２１ｃなどが実行される。
【００２３】
ＯＳ２１ａは、Windows（登録商標）やmacOS（登録商標）、Android（登録商標）などであり、クライアント装置２０でアプリケーション２１ｂ、プリンタドライバ２１ｃなどを動作可能にする。
【００２４】
アプリケーション２１ｂは、例えば、原稿作成を行うソフトウェアであり、印刷指示の際にプリンタドライバ２１ｃを読み出し、アプリケーション２１ｂで作成した原稿データをプリンタドライバ２１ｃに転送する。
【００２５】
プリンタドライバ２１ｃは、アプリケーション２１ｂで作成した原稿データを、印刷装置３０が解釈可能な言語の印刷ジョブ（ＰＪＬ（Printer Job Language）やＰＳ（PostScript）、ＰＣＬ（Printer Control Language）等のページ記述言語で記述されたＰＤＬ（Page Description Language）データ、または、ＰＤＦ（Portable Document Format）データ）に変換し、当該印刷ジョブを印刷装置３０に送信する。その際、プリンタドライバ２１ｃは、表示部２７に印刷設定画面を表示させ、印刷設定画面で設定された印刷設定情報（本実施例では、原稿サイズ、原稿枚数、出力用紙サイズ、印刷部数、用紙分割指示、用紙挿入指示、後処理指示など）をプリントチケットなどに記述して印刷ジョブに付加する。
【００２６】
記憶部２５は、ＨＤＤ（Hard Disk Drive）やＳＳＤ（Solid State Drive）などで構成され、ＣＰＵ２２が各部を制御するためのプログラム、原稿データ、印刷ジョブなどを保存する。
【００２７】
ネットワークＩ／Ｆ部２６は、ＮＩＣ（Network Interface Card）やモデムなどで構成され、クライアント装置２０を通信ネットワーク５０に接続し、印刷装置３０に印刷ジョブを送信する。
【００２８】
表示部２７は、液晶表示装置（ＬＣＤ：Liquid Crystal Display）や有機ＥＬ（electroluminescence）表示装置などで構成され、アプリケーション２１ｂの原稿作成画面、プリンタドライバ２１ｃの印刷設定画面などを表示する。
【００２９】
操作部２８は、マウスやキーボードなどで構成され、アプリケーション２１ｂを用いた原稿の作成、プリンタドライバ２１ｃを用いた印刷設定などの操作を可能にする。
【００３０】
［印刷装置］
印刷装置３０は、クライアント装置２０から受信した印刷ジョブを処理するＭＦＰなどであり、本実施例では、図４及び図５（ａ）に示すように、制御部３１、記憶部３５、ネットワークＩ／Ｆ部３６、表示操作部３７、画像処理部３８、給紙部３９、印刷部４０、用紙挿入部４１、用紙断裁部４２、用紙退避部４３、後処理部４４、用紙積載部４５などで構成される。
【００３１】
制御部３１は、ＣＰＵ３２とＲＯＭ３３やＲＡＭ３４などのメモリとで構成され、ＣＰＵ３２は、ＲＯＭ３３や記憶部３５に記憶した制御プログラム（後述する用紙挿入制御プログラムを含む。）をＲＡＭ３４に展開して実行することにより、印刷装置３０全体の動作を制御する。
【００３２】
上記制御部３１は、図５（ｂ）に示すように、設定部３１ａ、用紙搬送制御部３１ｂ、給紙間隔算出部３１ｃなどとして機能する。
【００３３】
設定部３１ａは、印刷ジョブを解析し、印刷設定情報に基づいて用紙分割が指示されているかを判断し、用紙分割が指示されている場合は、分割数の設定（どの方向に何回分割するかの設定）を行う。例えば、２ｉｎ１の面付け印刷が指示されている場合は用紙の分割数を２に設定する。また、設定部３１ａは、印刷設定情報に基づいて、挿入紙の挿入が指示されているかを判断し、挿入紙の挿入が指示されている場合は、挿入紙の設定を行う。例えば、挿入紙を分割した用紙の間に挿入するか否か、挿入紙の挿入形態を先挿入にするか後挿入にするかなどを設定する。
【００３４】
用紙搬送制御部３１ｂは、分割した用紙の間に挿入紙を挿入する場合、挿入紙の挿入形態が先挿入であるか後挿入であるかに応じて、給紙部３９からの用紙の給紙、印刷部４０の印刷、用紙挿入部４１からの挿入紙の給紙、用紙断裁部４２による用紙の分割、用紙退避部４３への用紙の退避、後処理部４４による後処理、用紙積載部４５への用紙の積載などを制御する。具体的には、挿入紙の挿入形態が先挿入の場合は、用紙挿入部４１から挿入紙を先行給紙させ、当該挿入紙を用紙退避部４３に退避させた後、給紙部３９から用紙を給紙させて印刷部４０に印刷を実行させ、用紙断裁部４２に印刷済み用紙を分割させる。そして、分割した用紙の先行紙の再搬送を開始し、当該先行紙が用紙退避位置（用紙搬送経路から用紙退避部４３への分岐位置）を通過したら、用紙退避部４３に退避させた挿入紙を用紙退避位置から挿入し、その後、分割した用紙の後続紙の再搬送を開始する。また、挿入紙の挿入形態が後挿入の場合は、給紙部３９から用紙を先行給紙させて印刷部４０に印刷を実行させ、用紙断裁部４２に印刷済み用紙を分割させる。そして、分割した用紙の先行紙の再搬送を開始し、分割した用紙の後続紙を用紙退避部４３に退避させた後、用紙挿入部４１から挿入紙を給紙させ、当該挿入紙が用紙退避位置を通過したら、用紙退避部４３に退避させた後続紙を用紙退避位置から挿入して再搬送を開始する。
【００３５】
給紙間隔算出部３１ｃは、用紙断裁部４２に用紙を給紙するタイミングを制御するための給紙間隔を算出する。具体的には、挿入紙の挿入形態が先挿入であり、挿入紙が用紙退避部４３に退避済みの場合は、用紙断裁部４２の断裁処理時間と、挿入紙を用紙退避部４３から用紙退避位置に戻す時間と、分割した用紙の間隔と、を取得し、それらに基づいて給紙間隔を算出する。また、挿入紙の挿入形態が先挿入であり、挿入紙が用紙退避部４３に退避済みでない場合は、用紙断裁部４２の断裁処理時間と、挿入紙を用紙退避部４３に退避させる時間と、挿入紙を用紙退避部４３から用紙退避位置に戻す時間と、分割した用紙の間隔と、を取得し、それらに基づいて給紙間隔を算出する。また、挿入紙の挿入形態が後挿入の場合は、用紙断裁部４２の断裁処理時間と、分割した用紙の後続紙を用紙退避部４３に退避させる時間と、後続紙を用紙退避部４３から用紙退避位置に戻す時間と、分割した用紙の間隔と、を取得し、それらに基づいて給紙間隔を算出する。
【００３６】
上記設定部３１ａ、用紙搬送制御部３１ｂ、給紙間隔算出部３１ｃは、ハードウェアとして構成してもよいし、制御部３１を設定部３１ａ、用紙搬送制御部３１ｂ、給紙間隔算出部３１ｃ（特に、設定部３１ａ、用紙搬送制御部３１ｂ）として機能させる用紙挿入制御プログラムとして構成し、当該用紙挿入制御プログラムをＣＰＵ３２に実行させるようにしてもよい。
【００３７】
記憶部３５は、ＨＤＤやＳＳＤなどで構成され、ＣＰＵ３２が各部を制御するためのプログラム、自装置の処理機能に関する情報、印刷ジョブ、画像処理部３８が生成した画像データ、給紙間隔算出部３１ｃが算出した給紙間隔などを記憶する。
【００３８】
ネットワークＩ／Ｆ部３６は、ＮＩＣやモデムなどで構成され、印刷装置３０を通信ネットワーク５０に接続し、クライアント装置２０から印刷ジョブを受信する。
【００３９】
表示操作部３７は、表示部上に透明電極が格子状に配置された感圧式や静電容量式の操作部（タッチセンサ）を設けたタッチパネルなどであり、各種画面（例えば、用紙挿入部４１への挿入紙のセットを指示する画面や挿入紙の挿入形態を設定する画面など）を表示し、各種操作（例えば、挿入紙の挿入形態の設定操作など）を可能にする。なお、ここでは、表示操作部３７を表示部と操作部とが一体となったタッチパネルとしているが、表示部と操作部とは別々の装置としてもよい。
【００４０】
画像処理部３８は、ＲＩＰ（Raster Image Processor）として機能し、印刷ジョブから中間データ（中間言語であるディスプレイリスト（ＤＬ：Display List））を生成し、原稿の各ページをラスタライズしてビットマップ形式の画像データを生成する。また、画像処理部３８は、必要に応じて、画像データに対して、スクリーン処理、階調補正、濃度バランス調整、細線化、網点処理などを行う。そして、画像処理部３８は、生成した画像データを印刷部４０に出力する。
【００４１】
給紙部３９は、１又は複数の給紙トレイで構成され、給紙トレイに格納した用紙を印刷部４０に給紙する。
【００４２】
印刷部４０は、画像処理部３８で画像処理を行った画像データに基づき、用紙への印刷処理を行う部分であり、電子写真方式や静電記録方式等の作像プロセスを利用した画像形成のために必要な要素、すなわち、帯電装置、感光体ドラム、露光装置、転写ローラ、転写ベルト、定着装置などで構成される。具体的には、帯電装置により帯電された感光体ドラムに露光装置から画像データに応じた光を照射して静電潜像を形成し、現像装置で帯電したトナーを付着させて現像し、そのトナー像を一次転写ローラ、二次転写ベルトを介して紙媒体に転写して定着装置で定着させる処理を行う。
【００４３】
用紙挿入部４１は、１又は複数の挿入紙トレイで構成され、挿入紙トレイに載置された、予め他の印刷装置で印刷された用紙や合紙、白紙などの印刷不要な挿入紙を用紙搬送経路（本実施例では印刷部４０と用紙断裁部４２の間の用紙搬送経路）に挿入する。
【００４４】
用紙断裁部４２は、用紙搬送経路上に設けられ、印刷部４０が画像を形成した用紙をＣＤ方向（用紙搬送方向に直交する方向）に断裁して分割する。
【００４５】
用紙退避部４３は、用紙断裁部４２の後段に設けられ、用紙断裁部４２と用紙積載部４５とを繋ぐ用紙搬送経路から分岐し、用紙断裁部４２が分割した用紙の後続紙、又は、用紙挿入部４１から給紙される挿入紙を、用紙退避位置にて用紙搬送経路から一時的に退避させる。
【００４６】
後処理部４４は、必要に応じて設けられ、用紙断裁部４２が分割した用紙及び用紙挿入部４１から給紙される挿入紙に対して、パンチやステープル、小冊子などの後処理を実施する。
【００４７】
用紙積載部４５は、１又は複数の排紙トレイで構成され、用紙断裁部４２が分割した用紙及び用紙挿入部４１から給紙される挿入紙を積載する。
【００４８】
なお、図１乃至図５は、本実施例の印刷システム１０の一例であり、その構成や制御は適宜変更可能である。
【００４９】
例えば、図４及び図５では、印刷装置３０内で、分割した用紙の間に挿入紙を挿入する構成としたが、印刷装置３０では用紙に印刷する処理のみを行い、分割した用紙の間に挿入紙を挿入する処理は他の装置（図２の後処理装置６０など）で実現してもよい。その場合は、当該他の装置に、用紙挿入部、用紙断裁部、用紙退避部、用紙積載部、必要に応じて後処理部などを設け、当該他の装置の制御部を設定部、用紙搬送制御部、給紙間隔算出部として機能させ（当該制御部のＣＰＵに用紙挿入制御プログラムを実行させ）、印刷装置３０で印刷された用紙を用紙断裁部に給紙して分割し、分割した用紙の間に挿入紙を挿入することができる。
【００５０】
また、本実施例では、クライアント装置２０から印刷ジョブを受信する構成としているが、サーバなどから印刷ジョブを受信したり、ＵＳＢ（Universal Serial Bus）メモリなどの記録媒体から印刷ジョブを取得したりしてもよく、その場合は、クライアント装置２０を省略することができる。
【００５１】
次に、上記構成の印刷システム１０における印刷制御について、図６乃至図１４を参照して説明する。
【００５２】
図６は、基本的な用紙分割時の印刷制御を説明する模式図である。給紙時に、給紙部３９から３枚の用紙（ハッチングの種類を変えて用紙を区別している。）が給紙され、印刷部４０で印刷（例えば、２ｉｎ１で面付け印刷）され、分割搬送時に、用紙断裁部４２で各々の用紙が２つの用紙に分割されて搬送される。その後、排紙積載時に、分割された各々の用紙が用紙積載部４５に順に積載されて出力、若しくは、後処理部４４で平綴じや製本が行われて出力される。
【００５３】
図７は、通常の用紙挿入時の印刷制御を説明する模式図である。給紙時に、給紙部３９から３枚の用紙が給紙され、印刷部４０で印刷（例えば、２ｉｎ１で面付け印刷）され、各々の用紙の後ろに挿入紙が給紙される場合、分割搬送時に、用紙断裁部４２で各々の用紙が２つの用紙に分割され、分割された２つの用紙の後ろに１枚の挿入紙が搬送される。その後、分割された各々の用紙と挿入紙とが用紙積載部４５に順に積載されて出力、若しくは、後処理部４４で平綴じや製本が行われて出力される。このように、挿入紙を挿入することで、様々な組み合わせの出力順や冊子の作成が可能となるが、分割した用紙の間には挿入紙を挿入することができない。
【００５４】
図８は、分割した用紙の間に挿入紙を挿入する場合の基本的な考え方を説明する模式図である。排紙積載時に、分割した用紙の間に挿入紙を挿入するためには、分割搬送時に、分割した用紙の間に挿入紙が挿入された状態にする必要があるが、給紙時には、各々の用紙の前に挿入紙が給紙される（先挿入）か、各々の用紙の後ろに挿入紙が給紙される（後挿入）か、のいずれかであり、挿入紙を分割した用紙の間に挿入するための仕組みが必要になる。本実施例では、その仕組みとして、用紙断裁部４２の後段に用紙退避部４３を設け、先挿入では用紙分割前に挿入紙を用紙退避部４３に退避させ、後挿入では用紙分割後の後続紙を用紙退避部４３に退避させる。
【００５５】
図９乃至図１４は、図８の印刷制御の具体例を示しており、図９乃至図１１は、先挿入の印刷制御の一例、図１２乃至図１４は、後挿入の印刷制御の一例である。なお、以下では、分割した用紙の間のみに挿入紙を挿入する場合について記載するが、分割した用紙の間に加えて、分割する前の用紙の間に挿入紙を挿入してもよい。
【００５６】
［先挿入］
図９は、先挿入におけるページの入れ替えを説明する模式図である。排紙積載時に、分割した用紙の間に挿入紙を挿入するためには、分割搬送時に、分割した用紙の間に挿入紙が挿入された状態にする必要があり、そのために、最終の排紙積載順番に基づいて用紙搬送順番を入れ替える。用紙搬送順番を入れ替えるために、入れ替え方法に応じたページ順管理を行う。具体的には、先挿入では、挿入紙のページ番号とその後の用紙の先行紙のページ番号とが入れ替わるように用紙搬送を制御する。
【００５７】
図１０は、用紙搬送順番を入れ替えるための給紙間隔を説明する模式図である。給紙間隔Ｔ０は、断裁処理時間Ｔ１と、分割した用紙の間に挿入紙を挿入するために必要な時間（挿入紙を用紙挿入部４１から用紙退避部４３に退避させるための退避時間Ｔ２、挿入紙を用紙退避部４３から用紙搬送経路に戻すための戻り時間Ｔ３、分割用紙間隔Ｔ４）に基づいて算出する。
【００５８】
図１１は、先挿入の動作を説明する模式図である。図１１（ａ）に示すように、給紙部３９に３枚の用紙が格納され、用紙挿入部４１に３枚の挿入紙が装填された状態で、先挿入にて分割された用紙の間に挿入紙を挿入する場合について説明する。まず、図１１（ｂ）に示すように、用紙挿入部４１から１枚目の挿入紙を挿入し、用紙退避部４３に退避させる。その後、給紙部３９から１枚目の用紙を給紙し、印刷部４０で画像を形成した後、用紙断裁部４２で２つに分割する。次に、図１１（ｃ）に示すように、分割した用紙の内の先行紙を用紙積載部４５に搬送する。次に、図１１（ｄ）に示すように、用紙退避部４３に退避させた挿入紙を用紙搬送経路に戻し、用紙積載部４５に搬送する。次に、図１１（ｅ）に示すように、分割した用紙の内の後続紙を用紙積載部４５に搬送する。そして、この用紙搬送制御を残りの用紙及び挿入紙に対して行うことにより、図９の排紙積載時のように、分割した用紙の間に挿入紙を挿入した状態を実現することができる。
【００５９】
［後挿入］
図１２は、後挿入におけるページの入れ替えを説明する模式図である。排紙積載時に、分割した用紙の間に挿入紙を挿入するためには、分割搬送時に、分割した用紙の間に挿入紙が挿入された状態にする必要があり、そのために、最終の排紙積載順番に基づいて用紙搬送順番を入れ替える。用紙搬送順番を入れ替えるために、入れ替え方法に応じたページ順管理を行う。具体的には、後挿入では、分割する用紙の後続紙のページ番号とその後に挿入する挿入紙のページ番号とが入れ替わるように用紙搬送を制御する。
【００６０】
図１３は、用紙搬送順番を入れ替えるための給紙間隔を説明する模式図である。給紙間隔Ｔ０は、断裁処理時間Ｔ１と、分割した用紙の間に挿入紙を挿入するために必要な時間（後続紙を用紙断裁部４２から用紙退避部４３に退避させるための退避時間Ｔ２’、後続紙を用紙退避部４３から用紙搬送経路に戻すための戻り時間Ｔ３’、分割用紙間隔Ｔ４）に基づいて算出する。
【００６１】
図１４は、後挿入の動作を説明する模式図である。図１４（ａ）に示すように、給紙部３９に３枚の用紙が格納され、用紙挿入部４１に３枚の挿入紙が装填された状態で、後挿入にて分割された用紙の間に挿入紙を挿入する場合について説明する。まず、図１４（ｂ）に示すように、給紙部３９から１枚目の用紙を給紙し、印刷部４０で画像を形成した後、用紙断裁部４２で２つに分割する。次に、図１４（ｃ）に示すように、分割した用紙の内の先行紙を用紙積載部４５に搬送すると共に、分割した用紙の内の後続紙を用紙退避部４３に退避させ、用紙挿入部４１から１枚目の挿入紙を挿入する。次に、図１４（ｄ）に示すように、１枚目の挿入紙を用紙積載部４５に搬送する。次に、図１４（ｅ）に示すように、用紙退避部４３に退避させた後続紙を用紙搬送経路に戻し、用紙積載部４５に搬送する。そして、この用紙搬送制御を残りの用紙及び挿入紙に対して行うことにより、図１２の排紙積載時のように、分割した用紙の間に挿入紙を挿入した状態を実現することができる。
【００６２】
以下、本実施例の印刷装置３０の動作について具体的に説明する。ＣＰＵ３２は、ＲＯＭ３３又は記憶部３５に記憶した用紙挿入制御プログラムをＲＡＭ３４に展開して実行することにより、図１５乃至図１８のフローチャート図に示す各ステップの処理を実行する。
【００６３】
図１５に示すように、制御部３１（設定部３１ａ）は、印刷ジョブを解析し、印刷設定情報に基づいて用紙分割が指示されているかを判断し（Ｓ１０１）、用紙分割が指示されている場合は（Ｓ１０１のＹｅｓ）、分割数の設定を行う（Ｓ１０２）。次に、制御部３１（設定部３１ａ）は、印刷設定情報に基づいて挿入紙の挿入が指示されているかを判断し（Ｓ１０３）、挿入紙の挿入が指示されている場合は（Ｓ１０３のＹｅｓ）、印刷設定情報に従って、挿入紙の設定を行う（Ｓ１０４）。その後、制御部３１（用紙搬送制御部３１ｂ）は、印刷処理を実行する（Ｓ１０５）。
【００６４】
図１６は、先挿入時の印刷処理の詳細を示している。制御部３１（用紙搬送制御部３１ｂ）は、用紙分割が指示されているかを判断し（Ｓ２０１）、用紙分割が指示されている場合は（Ｓ２０１のＹｅｓ）、分割した用紙の間への挿入紙の挿入が指示されているかを判断する（Ｓ２０２）。用紙分割が指示されていない場合（Ｓ２０１のＮｏ）、若しくは、用紙分割が指示されているが、分割した用紙の間への挿入紙の挿入が指示されていない場合は（Ｓ２０２のＮｏ）、通常通りに印刷処理を実行する（Ｓ２０３）。
【００６５】
一方、用紙分割が指示され、かつ、分割した用紙の間への挿入紙の挿入が指示されている場合は（Ｓ２０２のＹｅｓ）、制御部３１（用紙搬送制御部３１ｂ）は、挿入紙を用紙挿入部４１から先行給紙し、用紙退避部４３に退避させる（Ｓ２０４）。次に、制御部３１（用紙搬送制御部３１ｂ）は、給紙部３９から用紙を給紙し、印刷部４０で用紙に画像形成した後、用紙断裁部４２にて印刷済み用紙を分割する（Ｓ２０５）。次に、制御部３１（用紙搬送制御部３１ｂ）は、分割した用紙の先行紙の再搬送を開始し（Ｓ２０６）、当該先行紙が用紙退避位置（用紙搬送経路上の用紙退避部４３への分岐位置）を通過したかを判断し（Ｓ２０７）、先行紙が用紙退避位置を通過したら（Ｓ２０７のＹｅｓ）、用紙退避部４３に退避させた挿入紙を用紙退避位置から挿入し（Ｓ２０８）、分割した用紙の後続紙の再搬送を開始する（Ｓ２０９）。
【００６６】
その後、制御部３１（用紙搬送制御部３１ｂ）は、次の用紙があるかを判断し（Ｓ２１０）、次の用紙がない場合は（Ｓ２１０のＮｏ）、一連の処理を終了し、次の用紙がある場合は（Ｓ２１０のＹｅｓ）、予め算出した給紙間隔が経過したかを判断する（Ｓ２１１）。そして、給紙間隔が経過したら（Ｓ２１１のＹｅｓ）、Ｓ２０４に戻り、次の用紙に対して同様の処理を繰り返す。
【００６７】
図１７は、後挿入時の印刷処理の詳細を示している。制御部３１（用紙搬送制御部３１ｂ）は、用紙分割が指示されているかを判断し（Ｓ３０１）、用紙分割が指示されている場合は（Ｓ３０１のＹｅｓ）、分割した用紙の間への挿入紙の挿入が指示されているかを判断する（Ｓ３０２）。用紙分割が指示されていない場合（Ｓ３０１のＮｏ）、若しくは、用紙分割が指示されているが、分割した用紙の間への挿入紙の挿入が指示されていない場合は（Ｓ３０２のＮｏ）、通常通りに印刷処理を実行する（Ｓ３０３）。
【００６８】
一方、用紙分割が指示され、かつ、分割した用紙の間への挿入紙の挿入が指示されている場合は（Ｓ３０２のＹｅｓ）、制御部３１（用紙搬送制御部３１ｂ）は、給紙部３９から用紙を先行給紙する（Ｓ３０４）。次に、制御部３１（用紙搬送制御部３１ｂ）は、印刷部４０で用紙に画像形成した後、用紙断裁部４２にて印刷済み用紙を分割し、分割した用紙の先行紙の再搬送を開始する（Ｓ３０５）。次に、制御部３１（用紙搬送制御部３１ｂ）は、分割した用紙の後続紙を用紙退避部４３に退避させ（Ｓ３０６）、挿入紙を用紙挿入部４１から給紙する（Ｓ３０７）。次に、制御部３１（用紙搬送制御部３１ｂ）は、挿入紙が用紙退避位置を通過したかを判断し（Ｓ３０８）、挿入紙が用紙退避位置を通過したら（Ｓ３０８のＹｅｓ）、用紙退避部４３に退避させた分割後続紙を用紙退避位置から挿入し（Ｓ３０９）、分割後続紙の再搬送を開始する（Ｓ３１０）。
【００６９】
その後、制御部３１（用紙搬送制御部３１ｂ）は、次の用紙があるかを判断し（Ｓ３１１）、次の用紙がない場合は（Ｓ３１１のＮｏ）、一連の処理を終了し、次の用紙がある場合は（Ｓ３１１のＹｅｓ）、予め算出した給紙間隔が経過したかを判断する（Ｓ３１２）。そして、給紙間隔が経過したら（Ｓ３１２のＹｅｓ）、Ｓ３０４に戻り、次の用紙に対して同様の処理を繰り返す。
【００７０】
図１８は、上記Ｓ２１１及びＳ３１２の判断に使用する給紙間隔を算出するフローチャートである。まず、制御部３１（給紙間隔算出部３１ｃ）は、挿入紙の挿入形態が先挿入であるか後挿入であるかを判断し（Ｓ４０１）、先挿入の場合は、挿入紙が用紙退避部４３に退避済みであるかを判断する（Ｓ４０２）。
【００７１】
挿入紙が用紙退避部４３に退避済みの場合は（Ｓ４０２のＹｅｓ）、制御部３１（給紙間隔算出部３１ｃ）は、記憶部３５などから用紙断裁部４２の断裁処理時間（Ｔ１）を取得する（Ｓ４０３）。次に、制御部３１（給紙間隔算出部３１ｃ）は、挿入紙を用紙退避部４３から用紙搬送経路に戻す時間（Ｔ３）を取得し（Ｓ４０４）、分割用紙間隔（Ｔ４）を取得する（Ｓ４０５）。そして、制御部３１（給紙間隔算出部３１ｃ）は、Ｔ１とＴ３とＴ４とを加算して、給紙間隔（Ｔ０）を算出する（Ｓ４０６）。
【００７２】
また、挿入紙が用紙退避部４３に退避済みでない場合は（Ｓ４０２のＮｏ）、制御部３１（給紙間隔算出部３１ｃ）は、記憶部３５などから用紙断裁部４２の断裁処理時間（Ｔ１）を取得する（Ｓ４０７）。次に、制御部３１（給紙間隔算出部３１ｃ）は、挿入紙を用紙退避部４３に退避させる時間（Ｔ２）及び挿入紙を用紙退避部４３から用紙搬送経路に戻す時間（Ｔ３）を取得し（Ｓ４０８、４０９）、分割用紙間隔（Ｔ４）を取得する（Ｓ４１０）。そして、制御部３１（給紙間隔算出部３１ｃ）は、Ｔ１とＴ２とＴ３とＴ４とを加算して、給紙間隔（Ｔ０）を算出する（Ｓ４１１）。
【００７３】
また、後挿入の場合は、制御部３１（給紙間隔算出部３１ｃ）は、記憶部３５などから用紙断裁部４２の断裁処理時間（Ｔ１）を取得する（Ｓ４１２）。次に、制御部３１（給紙間隔算出部３１ｃ）は、分割後続紙を用紙退避部４３に退避させる時間（Ｔ２’）及び分割後続紙を用紙退避部４３から用紙搬送経路に戻す時間（Ｔ３’）を取得し（Ｓ４１３、４１４）、分割用紙間隔（Ｔ４）を取得する（Ｓ４１５）。そして、制御部３１（給紙間隔算出部３１ｃ）は、Ｔ１とＴ２’とＴ３’とＴ４とを加算して、給紙間隔（Ｔ０）を算出する（Ｓ４１６）。
【００７４】
以上説明したように、用紙断裁部４２の後段に用紙を用紙搬送経路から退避させる用紙退避部４３を設け、挿入紙や分割した用紙の後続紙を用紙退避部４３に退避させてページ順を入れ替えることにより、分割した用紙の間に挿入紙が挿入可能となり、分割した用紙と挿入紙のページ順を適切に保つことができる。
【００７５】
なお、本発明は上記実施例に限定されるものではなく、本発明の趣旨を逸脱しない限りにおいて、その構成や制御は適宜変更可能である。
【００７６】
例えば、上記実施例では、印刷済み用紙を２つに分割する場合について記載したが、３つ以上に分割する場合に対して、本発明の用紙挿入制御方法を同様に適用することができる。
【００７７】
また、上記実施例では、給紙部３９から供給される全ての用紙の間に挿入紙を挿入する場合について記載したが、給紙部３９から供給される用紙の中から選択される１以上の用紙の間に挿入紙を挿入する場合に対して、本発明の用紙挿入制御方法を同様に適用することができる。
【００７８】
また、上記実施例では、分割した用紙の間のみに挿入紙を挿入する場合について記載したが、分割した用紙の間に加えて、分割する前の用紙の間に挿入紙を挿入してもよい。
【産業上の利用可能性】
【００７９】
本発明は、分割した用紙の間に挿入紙を挿入する後処理装置、当該後処理装置で動作する用紙挿入制御プログラム、当該用紙挿入制御プログラムを記録した記録媒体及び用紙挿入制御方法に利用可能である。
【符号の説明】
【００８０】
１０  印刷システム
２０  クライアント装置
２１  制御部
２１ａ  ＯＳ
２１ｂ  アプリケーション
２１ｃ  プリンタドライバ
２２  ＣＰＵ
２３  ＲＯＭ
２４  ＲＡＭ
２５  記憶部
２６  ネットワークＩ／Ｆ部
２７  表示部
２８  操作部
３０  印刷装置
３１  制御部
３１ａ  設定部
３１ｂ  用紙搬送制御部
３１ｃ  給紙間隔算出部
３２  ＣＰＵ
３３  ＲＯＭ
３４  ＲＡＭ
３５  記憶部
３６  ネットワークＩ／Ｆ部
３７  表示操作部
３８  画像処理部
３９  給紙部
４０  印刷部
４１  用紙挿入部
４２  用紙断裁部
４３  用紙退避部
４４  後処理部
４５  用紙積載部
５０  通信ネットワーク
６０  後処理装置
【図１】
2019214168.tif 000003
【図２】
2019214168.tif 000004
【図３】
2019214168.tif 000005
【図４】
2019214168.tif 000006
【図５】
2019214168.tif 000007
【図６】
2019214168.tif 000008
【図７】
2019214168.tif 000009
【図８】
2019214168.tif 000010
【図９】
2019214168.tif 000011
【図１０】
2019214168.tif 000012
【図１１】
2019214168.tif 000013
【図１２】
2019214168.tif 000014
【図１３】
2019214168.tif 000015
【図１４】
2019214168.tif 000016
【図１５】
2019214168.tif 000017
【図１６】
2019214168.tif 000018
【図１７】
2019214168.tif 000019
【図１８】
2019214168.tif 000020